(57)【要約】【課題】蒸発器で生成するドレン水を効率良く蒸散し、ドレン水での細菌やスライムの発生を防止する空気調和機を提供する。【解決手段】空気調和機は、蒸発器で生成し水溜皿に貯まるドレン水がドレンポンプにより凝縮器の上方まで送られ滴下され蒸散して自己処理される空気調和機において、上記水溜皿は、上記ドレンポンプの吸込口の下方に位置する底に窪みが設けられ、上記吸込口の鉛直方向の位置が上記水溜皿の上記窪みが設けられた底以外の底より下にある。【選択図】図１
2007278555.tif 000002
【特許請求の範囲】
【請求項１】
蒸発器で生成し水溜皿に貯まるドレン水がドレンポンプにより凝縮器の上方まで送られ滴下され蒸散して自己処理される空気調和機において、
上記水溜皿は、上記ドレンポンプの吸込口の下方に位置する底に窪みが設けられ、
上記ドレンポンプの吸込口の鉛直方向の位置が上記水溜皿の上記窪みが設けられた底以外の底より下にあることを特徴とする空気調和機。
【請求項２】
蒸発器で生成し水溜皿に貯まるドレン水がドレンポンプにより凝縮器の上方まで送られ滴下され蒸散して自己処理される空気調和機において、
上記水溜皿は、取り付けられたとき底に傾斜が付けられ、
上記ドレンポンプの吸込口が上記底の最も低い位置に配置されることを特徴とする空気調和機。
【発明の詳細な説明】
【技術分野】
【０００１】
この発明は、ドレン水を自己処理する空気調和機に関するものである。
【背景技術】
【０００２】
エレベータの乗りカゴの上部など排水する経路の確保が困難な場所に設置する空気調和機には、圧縮された冷媒の熱を放熱する凝縮器と、この液化された冷媒を蒸発させることにより周囲を冷却する蒸発器と、蒸発器および凝縮器の下方に設けられた水溜皿、凝縮器の上方に設けられ水溜皿から送られたドレン水を受けてこのドレン水を凝縮器の上面に滴下させるドレン水滴下装置とが備えられている。そして、水溜皿に溜まったドレン水をドレン水滴下装置に送るために水溜皿の底の上方近傍にドレンポンプとドレンポンプの発停用の水位計とが備えられている（例えば、特許文献１参照）。
【０００３】
【特許文献１】特開平８−３０３８１３号公報
【発明の開示】
【発明が解決しようとする課題】
【０００４】
しかし、水溜皿の底とドレンポンプの吸込口との間には隙間があり、水溜皿に溜まったドレン水をすべてドレン水滴下装置に送ることができずに滞留し、空気中に浮遊する細菌などが繁殖してスライムが発生し、送風される空気がカビ臭くなるという問題がある。
また、水溜皿の底にゴミが貯まるとドレン水の流れが悪くドレンポンプが吸い込む量が減少してドレン水の蒸散の効率が低下するという問題がある。
【０００５】
この発明の目的は、蒸発器で生成するドレン水を効率良く蒸散し、ドレン水での細菌やスライムの発生を防止する空気調和機を提供することである。
【課題を解決するための手段】
【０００６】
この発明に係わる空気調和機は、蒸発器で生成し水溜皿に貯まるドレン水がドレンポンプにより凝縮器の上方まで送られ滴下され蒸散して自己処理される空気調和機において、上記水溜皿は、上記ドレンポンプの吸込口の下方に位置する底に窪みが設けられ、上記吸込口の鉛直方向の位置が上記水溜皿の上記窪みが設けられた底以外の底より下にある。
【発明の効果】
【０００７】
この発明に係わる空気調和機の効果は、蒸発器で生成するドレン水が水溜皿に溜まり、そのドレン水が窪みに集まるので、ドレン水が少ないときにはドレン水は窪みの底だけに溜まり、その量が少なくそこに流れる量が多いために、長い時間滞留することが防げて細菌やスライムの発生を防止できる。
【発明を実施するための最良の形態】
【０００８】
図１は、この発明に係わる空気調和機の側面図であり、水溜皿は断面で図示している。
この発明に係わる空気調和機１は、図示しない熱交換器の蒸発器で生成するドレン水を外部に排出して処理することが困難で自己処理する必要のある場所、例えば、ビル内に設置されたエレベータのかご室外側の頂部などに設置される。
この空気調和機１は、冷媒ガスを圧縮する図示しない圧縮機、圧縮された冷媒ガスを放熱して液化する凝縮器２および液化された冷媒を蒸発させる図示しない蒸発器が冷媒管路３で接続された冷凍サイクルを有している。
【０００９】
そして、凝縮器２および蒸発器の下方に水溜皿５が配設されている。この水溜皿５には、ドレンポンプ６を配置する位置の底５ａに窪み７が設けられ、窪み７が設けられた底７ａが、そこ以外の水溜皿５の底５ａより鉛直方向に低くなっている。そして、蒸発器で生成するドレン水や凝縮器２に滴下して蒸散せずに残ったドレン水が水溜皿５の底５ａを流れて窪み７に集められる。
【００１０】
この窪み７の上方には、ドレン水を凝縮器２の上方に送るためのドレンポンプ１０とドレンポンプ１０の発停を制御するためにドレン水の水位を検知する水位計１１とが配置されている。
また、凝縮器２の上方にはドレンポンプ１０から送られたドレン水を一旦受けてから凝縮器２の上方から滴下するドレン水滴下装置１３が備えられている。ドレンポンプ１０とドレン水滴下装置１３とが配管１４で連通されている。
ドレンポンプ１０の吸込口１０ａと窪み７の底７ａとの間にはドレン水を吸い込むために隙間が必然的に形成される。また、ドレン水の水位が吸込口１０ａより低いときにドレンポンプ１０を運転すると空運転になってしまいドレンポンプ１０に悪影響を与えるので、ドレン水の水位が吸込口１０ａより少し高い位置まで低下したときドレンポンプ１０の稼動を停止する。この水位は水位計１１により検知されドレンポンプ１０に信号が送られる。
【００１１】
次に、ドレン水が生成し蒸散されるまでの様子を説明する。
蒸発器では、液化された冷媒を蒸発させることにより周囲を冷却するが、周囲の冷却に伴って周囲の空気に含まれる水分子が凝結して水滴となりドレン水として下方に流れ落ちる。このドレン水は、水溜皿５で受けられ、水溜皿５の底５ａを流れて窪み７に集まる。
そして、窪み７に集められたドレン水はドレンポンプ１０により凝縮器２の上方に配置されたドレン水滴下装置１３まで送られる。このドレン水滴下装置１３から適宜ドレン水を滴下し凝縮器２の周囲で蒸散して自己処理される。蒸散せずに落下したドレン水は、水溜皿５で受けられて再度ドレン水滴下装置１３にドレンポンプ１０で送られる。
【００１２】
このような空気調和機１では、蒸発器で生成するドレン水が水溜皿５に溜まり、そのドレン水が窪み７に集められるので、ドレン水が少ないときにはドレン水は窪み７だけに溜まり、その量が少なくそこに流れる量が多いために、長い時間滞留することが防げて細菌やスライムの発生を防止できる。
また、窪み７にドレン水が溜まっているので、蒸発器で生成するドレン水が同量であっても水位が高く、水位がドレンポンプ１０の吸込口１０ａより低くなるときが少なく、ドレン水の蒸散効率が高くなる。
【００１３】
なお、上述の水溜皿５の底が水溜皿５が取り付けられたとき水平になっているが、図２に示すように、水溜皿５の底が水溜皿５が取り付けられたとき直線的に傾斜し、ドレン水が傾斜に沿って一番低い底に集まるようにしてもよい。そして、この一番低い底に集まるドレン水をドレンポンプ１０により吸い上げるように、一番低い底の近傍にドレンポンプ１０の吸込口１０ａを配置する。この傾斜は、直線的以外にも曲面的や一部テーパ状に傾斜していてもよい。
【図面の簡単な説明】
【００１４】
【図１】この発明に係わる空気調和機の側面図である。
【図２】この発明に係わる空気調和機の他の例の側面図である。
【符号の説明】
【００１５】
１  空気調和機、２  凝縮器、３  冷媒管路、５  水溜皿、５ａ  （水溜皿の）底、６  ドレンポンプ、７  窪み、７ａ  （窪みの）底、１０  ドレンポンプ、１０ａ  （ドレンポンプの）吸込口、１１  水位計、１３  ドレン水滴下装置、１４  配管。
【図１】
2007278555.tif 000003
【図２】
2007278555.tif 000004